(57)【要約】【課題】組み立てプロセスが簡単な組み立て式食器を提供する。【解決手段】一端に被挟持部を有する作用部材と、第１の位置決め部および案内部とを有する本体と、本体に移動可能に結合され、第１の位置決め部に対向する第２の位置決め部を有する移動部材と、移動部材に組み合わされ第１、第２の位置決め部の間に設けられる弾性部材と、を備え、移動部材は、その一端に弾性力を有し且つ被挟持部に対応する挟持部が設けられ、挟持部は、移動部材が本体の移動に伴って案内部に接触して弾性変形が生じることによって被挟持部を挟持固定し、弾性部材は、挟持部を案内部に接触させる弾性回復力を有し、それによって、作用部材を移動部材に結合させ、本体と共に食器として組み立てられる。【選択図】図３
0003130500.tif 000002
【実用新案登録請求の範囲】
【請求項１】
一端に被挟持部を有する作用部材と、
第１の位置決め部および一端に設けられた案内部とを有する本体と、
前記本体に移動可能に結合され、前記第１の位置決め部に対向する第２の位置決め部を有し、一端に、弾力性を有し且つ前記被挟持部に対応し前記本体の移動に伴って前記案内部に接触して弾性変形を生じることによって前記被挟持部を挟持固定する挟持部が設けられている移動部材と、
前記移動部材に組み合わされ前記第１、第２の位置決め部の間に設けられ、前記挟持部を前記案内部に接触する方向に移動させる弾性回復力を有することにより前記作用部材を前記移動部材に結合させ、前記本体と共に食器として組み立てられる弾性部材とを備えることを特徴とする組み立て式食器。
【請求項２】
前記移動部材はロッド体からなり、
前記本体は前記ロッド体を囲むスリーブからなり、
前記案内部は前記スリーブの一端に設けられ、
前記挟持部は前記スリーブに自在に出し入れできるように構成され、
前記弾性部材は前記移動部材を囲み込むスプリングからなることを特徴とする請求項１に記載の組み立て式食器。
【請求項３】
前記第１の位置決め部および前記第２の位置決め部は、それぞれ前記スリーブ内および前記ロッドに設けられる凸段部からなることを特徴とする請求項２に記載の組み立て式食器。
【請求項４】
前記案内部は、前記スリーブの一端の開口よりテーパー状にスリーブ内へ延びる通路からなり、
前記挟持部の外部もテーパー状を呈していることを特徴とする請求項２に記載の組み立て式食器。
【請求項５】
前記移動部材は、その一端にはさらに押圧ヘッドを有し、前記押圧ヘッドを押圧することにより、前記挟持部が前記案内部より離れることを特徴とする請求項１または２に記載の組み立て式食器。
【請求項６】
前記弾性部材と前記第１の位置決め部との間には、さらにストッパーが設けられていることを特徴とする請求項２に記載の組み立て式食器。
【請求項７】
前記ストッパーは、同心円リングからなり、その内径および外径がそれぞれ前記移動部材の外径および前記本体の内径に対応していることを特徴とする請求項６に記載の組み立て式食器。
【請求項８】
前記被挟持部は、前記作用部材の一端に突設されている凸部からなり、
前記挟持部は、スリットを有する弾性ブロックからなることを特徴とする請求項１に記載の組み立て式食器。
【請求項９】
前記挟持部は、前記移動部材に一体に設けられていることを特徴とする請求項１または８に記載の組み立て式食器。
【請求項１０】
前記挟持部は、前記移動部材に螺合されていることを特徴とする請求項１または８に記載の組み立て式食器。
【請求項１１】
前記作用部材は、箸、フォーク、スプーンおよびナイフのいずれか一つであることを特徴とする請求項１に記載の組み立て式食器。
【考案の詳細な説明】
【技術分野】
【０００１】
本考案は、組み立て式食器に関し、より詳しくは、弾力および挟持力により組み立てられる組み立て式食器に関する。
【背景技術】
【０００２】
時代の移り変わりにつれて、外食人口がますます増加しているため、利便性のある食器が日常生活に欠かせないものとなりつつあり、実際の飲食の場においてもよく見かけるようになっている。利便性のある食器として、例えば、使い捨ての竹箸、ナイフ、フォーク、スプーンまたは洗浄して繰り返し用いることが可能な食器が使用されている。しかしながら、環境保護や健康への配慮から、より多くの携帯可能な組み立て式食器が受け入れられるようになっている。
【０００３】
図１は、従来の組み立て式箸を示す。組み立て式箸１は、組み立て構造に対応した２つのロッド部材からなり、容易に携帯できるようになっている。この２つのロッド部材の組み立て構造は、末端に螺合部が設けられてなるもので、螺合方式で着脱が行われることにより、携帯に便利である。
【０００４】
ただし、この２つのロッド部材による組み立てでは、操作が煩雑となる欠点があり、２つのロッド部材の組み合わせを完了するには、何度も回転させなければならず、また、過度の回転によりねじ山が破損してしまうおそれがあった。
【０００５】
図２は、台湾実用新案公告第００５４１９２４号（以下、特許文献１という）に記載された組み立て式箸を示す。組み立て式箸２は、第１段２０および第２段２１を有し、第１段２０の一端は、嵌め口２０１と当該嵌め口２０１に連通される位置決め口２０２とを有する。第２段２１は、第１のロッド部材２０に挿入可能な凸柱２１０を有し、当該凸柱２１０には、位置決め口２０２に対応する位置決め凸部２１１を有している。そのため、第２段２１の凸柱２１０を第１のロッド部材２０に挿入するとともに、位置決め凸部２１１を嵌め口２０１より滑り込ませ、さらに第１、第２段を回転させて位置決め凸部２１１を位置決め口２０２に滑り込ませることにより、第１、２段を箸として組み立てることが可能となる。
【０００６】
従来の螺合方式により組み立てられた組み立て式箸と比較して、特許文献１に開示された組み立てプロセスはそれほど煩雑ではないが、第２段２１の凸柱２１０は第１のロッド部材２０に自由に挿入可能というわけではなく、スムーズに挿入するには、挿入と同時に位置決め凸部２１１を嵌め口２０１に滑り込ませる必要がある。このように、使用者はまず位置決め凸部２１１が嵌め口２０１の所在箇所に位置しているかを確認する必要がある。そのため、組み立てが困難となり、さらには、第１のロッド部材２０を第２のロッド部材２１に確実に挿入するために、組み立て動作を繰り返し行わなければならないこともあった。
【０００７】
また、位置決め凸部２１１および位置決め口２０２の位置は、一般の使用者が習慣的に箸を持つ位置に近いため、使い方により位置決め凸部２１１が位置決め口２０２より脱落しやすくなり、第１段２０と第２段２１との間の組み立てには強度が不足するおそれがあった。
【０００８】
したがって、以上の欠点を改善し、例えば箸のような食器を簡単且つ強固に組み立てられるようにするかが、業界において解決すべき極めて重要な課題となっている。
【特許文献１】台湾実用新案公告第００５４１９２４号明細書
【考案の開示】
【考案が解決しようとする課題】
【０００９】
そこで、以上の事情に鑑み、本考案は、組み立てプロセスが簡単な組み立て式食器を提供することを課題とする。
【００１０】
また、本考案は、組み立てプロセスが明確な組み立て式食器を提供することを課題とする。
【００１１】
また、本考案は、強固に組み立て可能な食器を提供することを課題とする。
【課題を解決するための手段】
【００１２】
上記の課題を解決するために、本考案に係る組み立て式食器は、一端に被挟持部を有する例えば箸、スプーン、ナイフおよびフォーク等である作用部材と、第１の位置決め部および一端に設けられた案内部とを有する本体と、本体に移動可能に結合され、第１の位置決め部に対向する第２の位置決め部を有し、一端に、弾力性を有し且つ被挟持部に対応し本体の移動に伴って案内部に接触して弾性変形が生じることによって被挟持部を挟持固定する挟持部が設けられている移動部材と、移動部材に組み合わされ第１、第２の位置決め部の間に設けられ、挟持部を案内部に接触する方向に移動させる弾性回復力を有することにより作用部材を移動部材に結合させ本体と共に食器として組み立てられる弾性部材と、を備えている。
【００１３】
また、移動部材は、その一端にさらに押圧ヘッドを有し、当該押圧ヘッドを押圧することにより、挟持部が案内部より離れ、挟持部が被挟持部を容易に挟持できる状態となり、挟持部がそれ自体の弾性により被挟持部をやや挟持した後、押圧ヘッドに加えられた力を解除することで、被挟持部が挟持されている挟持部が、弾性部材の弾性回復力により案内部に接触する位置まで戻り、それによって被挟持部が挟持固定される。
【００１４】
従来における組み立て式箸が、螺合方式で組み立てられているために組み立てプロセスが煩雑となる欠点を有していたのに比べ、本考案に係る組み立て式食器によれば、押圧ヘッドを押圧し、被挟持部と挟持部との挟持を行い、押圧ヘッドに加えられた力を解除することにより、作用部材と本体との組み立てを簡単且つ速やかに完了することが可能である。
【００１５】
好ましくは、移動部材はロッド体からなり、本体はロッド体を囲むスリーブからなり、案内部はスリーブの一端に設けられ、挟持部はスリーブに自在に出し入れできるように構成され、弾性部材は移動部材を囲み込むスプリングからなり、第１の位置決め部および第２の位置決め部はそれぞれスリーブ内およびロッドに設けられる凸段部からなる。案内部はスリーブの一端の開口よりテーパー状にスリーブ内へ延びる通路からなり、挟持部は、スリットを有する弾性ブロックからなり、挟持部の外部もテーパー状を呈してスリーブに出し入れできるようになっており、案内部のスリーブに向けてテーパーしている特性により、挟持部は案内部の案内により弾性変形される。被挟持部は、作用部材の一端に突設されている凸部からなってよく、挟持部が案内部より離れる場合、被挟持部は挟持部に対し自由に着脱可能となっている。
【００１６】
従来における挿入し回転させる方法で組み立てられた組み立て式箸が、挿入をスムーズに行うためには特定の位置決め角度で挿入しなければならない不便さがあり、さらには何度も同じ操作を繰り返さなければ正確に組み立てられない煩雑さがあったのに比べ、本考案に係る組み立て式食器では、被挟持部は挟持部に対し自由に着脱可能となっているため、作用部材の位置決めを考慮する必要がなく、しかも一度の操作だけで組み立てを正確に行うことができる。
【００１７】
また、従来における位置決め凸部と位置決め口によって組み立てられる組み立て式箸が、誤接触によって定位置から脱落することによる組み立て強度の不足のおそれがあったのに比べ、本考案に係る組み立て式箸では、その挟持部と被挟持部との挟持が本体（スリーブ）内で行われているため、従来のように誤接触によって脱落することがなく、また、挟持部が案内部の制限を受けるために、被挟持部を挟持固定する組み立て構造が極めて強固であるため、強引に引っ張りでもしないかぎり容易に脱落はしない。
【００１８】
また、挟持部は移動部材に一体に設けられ、または移動部材に螺合されてもよく、挟持部が弾性回復力により本体に戻される場合、挟持部をさらに移動部材に螺合することで、作用部材が本体に一層緊密に結合され、この螺合動作と同時に押圧ヘッドが本体に接合されることにより、本考案に係る組み立て式食器の視覚上の美観をさらに向上させることが可能である。
【考案の効果】
【００１９】
本考案により、組み立てプロセスが簡単な組み立て式食器を提供することができる。
【００２０】
また、本考案により、組み立てプロセスが明確な組み立て式食器を提供することができる。
【００２１】
また、本考案により、強固に組み立て可能な食器を提供することができる。
【考案を実施するための最良の形態】
【００２２】
以下、本考案の具体的な実施の形態について説明する。当業者であれば、本明細書に記載の内容によって本考案の技術的特徴や効果を容易に理解できる。本考案に係る実質的な技術内容は、広汎に実用新案登録請求の範囲内に定義される。また、本考案は図示の実施の形態に限定されるものではなく、本考案の要旨の範囲内で数々の変更態様が可能であることは言うまでもない。
【００２３】
図３および図４に示すように、本実施の形態に係る組み立て式食器２は、一端に被挟持部３２０を有する作用部材３２と、第１の位置決め部３１０および一端に設けられた案内部３１１とを有する本体３１と、本体３１に移動可能に結合され、第１の位置決め部３１０に対向する第２の位置決め部３０２と、一端に弾力性を有し且つ被挟持部３２０に対応し本体３１の移動に伴って案内部３１１に接触して弾性変形が生じることによって被挟持部３２０を挟持固定する挟持部３０３が設けられている移動部材３０と、移動部材３０に組み合わされ第１、第２の位置決め部の間に設けられ、挟持部を案内部３１１に接触する方向に移動させる弾性回復力を有することにより作用部材３２を移動部材３０に結合させ本体３１と共に食器として組み立てられる弾性部材３３と、を備えている。
【００２４】
作用部材３２は例えば箸であってよく、またはフォーク、ナイフないしスプーン等の食器であってもよい。また、移動部材３０は、その一端にさらに本体３１より突出している押圧ヘッド３０４を有する。当該押圧ヘッド３０４を押圧することにより、挟持部３０３が案内部３１１より離れ、挟持部３０３が被挟持部３２を容易に挟持できる状態となり、挟持部３０３がそれ自体の弾性により被挟持部３２をやや挟持した後、押圧ヘッド３０４に加えられた力を解除することで、被挟持部３２が挟持されている挟持部３０３が、弾性部材の弾性回復力により案内部３１１に接触する位置まで戻り、それによって被挟持部３２が挟持固定される。
【００２５】
従来における組み立て式箸が、螺合方式で組み立てられているために組み立てプロセスが煩雑となる欠点を有していたのに比べ、本実施の形態に係る組み立て式食器によれば、押圧ヘッド３０４を押圧し、被挟持部と挟持部との挟持を行い、押圧ヘッド３０４に加えられた力を解除することにより、作用部材と本体との組み立てを簡単且つ速やかに完了することが可能である。
【００２６】
好ましくは、移動部材３０はロッド体であり、本体３１はロッド体を囲むスリーブであり、押圧ヘッド３０４の外径は当該スリーブと同一であり、案内部３１１はスリーブの一端に設けられ、挟持部３０３はスリーブに自在に出し入れできるように構成され、弾性部材３３は移動部材３０を囲み込むスプリングであり、第１の位置決め部３１０および第２の位置決め部３０２はそれぞれスリーブ内およびロッドに設けられる凸段部である。案内部３１１はスリーブの一端の開口よりテーパー状にスリーブ内へ延びる通路であり、挟持部３０３は、スリットを有する弾性ブロックであり、挟持部３０３の外部もテーパー状を呈してスリーブに出し入れできるようになっており、案内部３１１のスリーブに向けてテーパーしている特性により、挟持部３０３は案内部３１１の案内により弾性変形される。被挟持部３２０は、作用部材３２の一端に突設されている凸部であってよく、挟持部３０３が案内部３１１より離れる場合、被挟持部３２０は挟持部３０３に対し自由に着脱可能となっている。
【００２７】
従来における挿入し回転させる方法で組み立てられた組み立て式箸が、挿入をスムーズに行うためには特定の位置決め角度で挿入しなければならない不便さがあり、さらには何度も同じ操作を繰り返さなければ正確に組み立てられない煩雑さがあったのに比べ、本実施の形態に係る組み立て式食器３では、被挟持部３２０は挟持部３０３に対し自由に着脱可能となっているため、作用部材３２の位置決めを考慮する必要がなく、しかも一度の操作だけで組み立てを正確に行うことができる。
【００２８】
また、従来における位置決め凸部と位置決め口によって組み立てられる組み立て式箸が、誤接触によって定位置から脱落することによる組み立て強度の不足のおそれがあったのに比べ、本実施の形態に係る組み立て式箸では、その挟持部３０３と被挟持部３２０との挟持が本体（スリーブ）内で行われているため、従来のように誤接触によって脱落することがなく、また、挟持部３０３が案内部３１１の制限を受けるために、被挟持部３２０を挟持固定する組み立て構造が極めて強固であるため、強引に引っ張りでもしないかぎり容易に脱落はしない。
【００２９】
ただし、移動部材３０と本体３１とは、その実施形態を逆にしてもよい。例えば、案内部３１１は本体３１の一端に形成される錐体であり、挟持部３０３は当該錐体を囲んで被覆し且つ内向きの弾性力を有する被覆体であり、被挟持部３２０は挟持部３０３を囲んで被覆している他の被覆体であってよい。そのため、まず挟持部３０３を被挟持部３２０内に入れることにより、弾性回復力により案内部３１１に接触する位置まで戻った場合、挟持部３０３が案内部３１１によって押し広げられ、被挟持部３２０が緊密に挟持固定される。
【００３０】
さらに、移動部材３０が本体３１内にスライド結合される平行度の確保および弾性部材３３と本体３１との間の位置決め効果の強化のために、弾性部材３３と第１の位置決め部３１０との間にストッパー３４がさらに増設されてよく、ストッパー３４は移動部材３０に環装された同心円リングであり、同心円リングの内径および外径はそれぞれ移動部材３０の外径および本体３１の内径に対応している。
【００３１】
また、挟持部３０３は移動部材３０に一体に設けられ、または螺合により移動部材３０に結合されてもよい。図５に示すように、挟持部３０３と移動部材３０とが螺合により結合される実施形態である場合、本実施の形態に係る組み立て式食器３の各構成要素は分離可能であるため、内部の構成要素が破損した場合、保守や交換を行うことができる。また、挟持部３０３と移動部材３０との間には別途にねじ山が設けられてもよく、弾性回復力により挟持部３０３が本体３１内に戻った後、移動部材３０への締め付けを行うことができ、それによって、作用部材３２と本体３１との組み立てがより強固になると同時に、押圧ヘッド３０４が本体３１に接合され、本実施の形態に係る組み立て式食器外観の美観がより向上する。
【００３２】
本考案に係る組み立て式食器の組み立てにおいて各種の異なる作用部材によって組み立てられた実施の形態の変形例を図６Ａないし図６Ｄに示す。
【００３３】
以上本考案の実施形態を説明したが、本考案は上記実施形態に限定されるものではなく、実用新案登録請求の範囲、及び本明細書と図面に記載された技術的思想の範囲内において種々の変形が可能である。なお直接明細書及び図面に記載のない何れの形状や構造や材質であっても、本考案の作用・効果を奏する以上、本考案の技術的思想の範囲内である。
【図面の簡単な説明】
【００３４】
【図１】従来の螺合方式により結合された組み立て式箸を示す図
【図２】特許文献１の組み立て式箸を示す図
【図３】実施の形態に係る組み立て式食器の断面図および動作を模式的に示す図
【図４】実施の形態に係る組み立て式食器の断面図および動作を模式的に示す図
【図５】実施の形態に係る組み立て式食器の分解構造を模式的に示す図
【図６Ａ】実施の形態に係る組み立て式食器の組み立てが完成した後の実施の形態の変形例を示す図
【図６Ｂ】実施の形態に係る組み立て式食器の組み立てが完成した後の実施の形態の変形例を示す図
【図６Ｃ】実施の形態に係る組み立て式食器の組み立てが完成した後の実施の形態の変形例を示す図
【図６Ｄ】実施の形態に係る組み立て式食器の組み立てが完成した後の実施の形態の変形例を示す図
【符号の説明】
【００３５】
１    組み立て式箸
２    組み立て式箸
２０    第１段
２０１    嵌め口
２０２    位置決め口
２１    第２段
２１０    凸柱
２１１    位置決め凸部
３    組み立て式食器
３０    移動部材
３０２    第２の位置決め部
３０３    挟持部
３０４    押圧ヘッド
３１    本体
３１０    第１の位置決め部
３１１    案内部
３２    作用部材
３２０    被挟持部
３３    弾性部材
３４    ストッパー
【図１】
0003130500.tif 000003
【図２】
0003130500.tif 000004
【図３】
0003130500.tif 000005
【図４】
0003130500.tif 000006
【図５】
0003130500.tif 000007
【図６Ａ】
0003130500.tif 000008
【図６Ｂ】
0003130500.tif 000009
【図６Ｃ】
0003130500.tif 000010
【図６Ｄ】
0003130500.tif 000011